(57)【要約】【課題】アルバムである冊子の耐久性を高める。【解決手段】枚葉紙を二つ折りして得た複数枚の折丁４が積み重ねられ、それらの背部同士が接着剤で接合されてなる平綴じ冊子において、上記二つ折りする前の各枚葉紙における折丁の背部に相当する箇所に、二本の罫線５，６が平行に形成され、そのうち一本の罫線５上で各枚葉紙が折り曲げられて折丁とされ、上記二本の罫線で挟まれた箇所７に付けられた接着剤８を介して折丁同士が接合される。【選択図】図４
2011056740.tif 000002
【特許請求の範囲】
【請求項１】
枚葉紙を二つ折りして得た複数枚の折丁が積み重ねられ、それらの背部同士が接着剤で接合されてなる平綴じ冊子において、
上記二つ折りする前の各枚葉紙における折丁の背部に相当する箇所に、二本の罫線が平行に形成され、そのうち一本の罫線上で各枚葉紙が折り曲げられて折丁とされ、上記二本の罫線で挟まれた箇所に付けられた接着剤を介して折丁同士が接合されてなることを特徴とする平綴じ冊子。
【請求項２】
請求項１に記載の平綴じ冊子において、上記折丁同士が接合されてなる本文が一枚の枚葉紙からなる表紙で包まれ、本文の背面を挟む始面と終面とが上記表紙の内面に接着されたことを特徴とする平綴じ冊子。
【請求項３】
請求項１又は請求項２に記載の平綴じ冊子において、上記枚葉紙が写真用紙であることを特徴とする平綴じ冊子。
【発明の詳細な説明】
【技術分野】
【０００１】
本発明は、アルバム等の平綴じ冊子に関する。
【背景技術】
【０００２】
従来、アルバムとして、現像処理された写真プリントの一辺を接着して冊子状にしたものが知られている。このアルバムは、連続状の印画紙に画像を焼き付けて枚葉状に切断し、全枚葉を積み重ね、その積み重ねた枚葉の背に接着剤を塗布して全枚葉を一体化することによって形成される（例えば、特許文献１参照。）。
【０００３】
また、上製本において折丁の背を接着剤で仮止めすることもなされており（例えば、特許文献２参照。）、厚手の書籍を無段差で開くことができるように背を接着剤で止めた製本も提案されている（例えば、特許文献３参照。）。
【先行技術文献】
【特許文献】
【０００４】
【特許文献１】特開平６−２６６０８７号公報
【特許文献２】特開２００４−１４５１号公報
【特許文献３】特開平９−７６６６２号公報
【発明の概要】
【発明が解決しようとする課題】
【０００５】
従来の製本は、一枚の又は二つ折りした枚葉物を積み重ねてそれらの背に接着剤を塗布することで一体化しているに過ぎないので、耐久性に欠け、冊子を繰り返し開閉したり、頁を繰ったりすると頁が分解しやすくなり、保存が困難になるという問題がある。ことに冊子がアルバムであるときは長期保存が難しい。また、写真用紙のような厚手の用紙を綴じる場合は通常紙の場合に比べて更に分解しやすくなる。さらに、中央に段差を生じることなく見開くことができる頁の数が少ないという問題もある。
【０００６】
従って、本発明は、上記問題点を解決することができる平綴じ冊子を提供することを目的とする。
【課題を解決するための手段】
【０００７】
上記課題を解決するため、本発明は次のような構成を採用する。
【０００８】
なお、本発明の理解を容易にするため図面の参照符号を括弧書きで付するが、本発明はこれに限定されるものではない。
【０００９】
請求項１に係る発明は、枚葉紙を二つ折りして得た複数枚の折丁（４）が積み重ねられ、それらの背部同士が接着剤で接合されてなる平綴じ冊子において、上記二つ折りする前の各枚葉紙における折丁（４）の背部に相当する箇所に、二本の罫線（５，６）が平行に形成され、そのうち一本の罫線（５）上で各枚葉紙が折り曲げられて折丁（４）とされ、上記二本の罫線（５，６）で挟まれた箇所（７）に付けられた接着剤（８）を介して折丁（４，４）同士が接合されてなる平綴じ冊子を採用する。
【００１０】
請求項２に記載されるように、請求項１に記載の平綴じ冊子において、上記折丁（４，４）同士が接合されてなる本文（３）が一枚の枚葉紙からなる表紙（２）で包まれ、本文（３）の背面を挟む始面と終面とが上記表紙（２）の内面に接着されたものとすることができる。
【００１１】
請求項３に記載されるように、  請求項１又は請求項２に記載の平綴じ冊子において、上記枚葉紙を写真用紙とすることも可能である。
【発明の効果】
【００１２】
本発明に係る平綴じ冊子（１）によれば、耐久性に優れ、冊子（１）を繰り返し開閉したり、頁を繰ったりしても頁が分解し難いものとすることができる。ことに冊子（１）がアルバムであるときは長期使用、保管が可能となる。また、写真用紙のような厚手の用紙を綴じる場合であっても分解し難い。さらに、中央に段差を生じることなく見開くことができる見開き頁の数を増やすことができる。
【図面の簡単な説明】
【００１３】
【図１】本発明に係る平綴じ冊子の斜視図である。
【図２】平綴じ冊子に用いられる折丁を展開状態で示す斜視図である。
【図３】二つ折りした折丁の斜視図である。
【図４】平綴じ冊子を開いた状態で示す斜視図である。
【図５】平綴じ冊子を他の頁で開いた状態で示す斜視図である。
【発明を実施するための形態】
【００１４】
以下、図面を参照して本発明の実施の形態について説明する。
【００１５】
この実施の形態１において、平綴じ冊子はアルバムとして構成される。
【００１６】
図１に示すように、この平綴じ冊子１は、表紙２とこの表紙２で包まれた本文３とを具備する。
【００１７】
なお、表紙２は必要に応じて省略し、本文３のみで平綴じ冊子の完成品とすることも可能である。
【００１８】
本文３は、図１に示すように、枚葉紙を二つ折りして得た複数枚の折丁４が積み重ねられ、それらの背部同士が接着剤で接合されることによって構成される。
【００１９】
枚葉紙としては、写真用紙が用いられる。写真用紙は、紙に感光材料を塗布してなる印画紙又はこれに類する紙質、厚さの紙若しくは紙と合成樹脂基材の積層体にその片面若しくは両面にインク受像層を積層した受像紙であり、その片面又は両面に写真画像が表示される。写真画像の表示は、例えば昇華転写印刷、インクジェット印刷等によって行うことができる。
【００２０】
図２に示すように、二つ折りする前の枚葉紙における折丁４の背部に相当する箇所には、二本の罫線５，６が平行に形成される。各枚葉紙には、望ましくは罫線５，６が形成される前に写真画像が表示される。
【００２１】
罫線５，６が形成された各枚葉紙は、図３に示すように、一本の罫線５上で二つに折り曲げられて折丁４とされる。この折丁によれば、写真画像を四頁にわたって表示することができる。また、中央の二頁は見開き頁として一つの連続した切れ目のない写真画像を表示することができる。
【００２２】
折丁４は、図２に示す枚葉紙の段階で上記二本の罫線５，６で挟まれた箇所を接合面７として、この接合面７に接着剤８が付けられる。あるいは、図３に示すように、二つ折りされた段階で上記二本の罫線５，６で挟まれた箇所である接合面７に接着剤８が付けられる。そして、複数枚の折丁４同士が折丁４の折り畳み方向で重ねられ接合面７で接合されることによって本文とされる。
【００２３】
接着剤８としては、両面粘着テープ、ホットメルト、水糊、でんぷん糊等を使用することができる。
【００２４】
この本文３のみでも平綴じ冊子の完成品として使用することができるが、この実施の形態では、図１に示すように、本文３がさらに一枚の枚葉紙からなる表紙２で包まれ、本文３の背面を挟む始面と終面とが表紙２の内面に接着されることによって平綴じ冊子１の完成品とされる。
【００２５】
表紙２は、本文３の折丁４に使用される枚葉紙と同様に写真用紙が使用される。そして、折丁４と同様にしてその表面に写真画像が印刷される。
【００２６】
表紙２は、図１に示すように、表表紙、背、裏表紙の三部分に罫線９，１０，１１によって区画される。また、図１に示すように、本文３の始面にはその全面にわたって接着剤１２が付けられ、本文３の終面には折丁４の二つ折り罫線５でない他方の罫線６から小口に至る面すなわち接合面７を除く面に接着剤１２が付けられる。そして、表表紙が上記始面に接着され、裏表紙が上記終面に接着される。表紙２の背と本文３の背との間には、接着剤が付けられることなく、空洞が形成される。
【００２７】
表紙２と本文３との接着には上記折丁４同士の接着に用いられる接着剤８を用いることができるが、両面接着クッションテープを用いるのが望ましい。両面接着クッションテープは、ウレタンシート等クッション性のあるシートの両面に粘着剤又は両面粘着テープが付けられた接着剤の一種である。両面接着クッションテープを用いることで表紙２に厚みや腰の強さが付与される。
【００２８】
この平綴じ冊子１を使用する者は、例えば図４に示すように頁を開くことによって、途切れのない連続した写真画像を見開き頁上で見ることができる。また、図５に示すように、他の頁は接合面７に隣接した罫線６上で折り曲げることができるので、他の頁の写真画像も容易に見ることができる。
【００２９】
また、表紙２の背と本文３の背との間は空洞になっており、しかも、上述したように本文３の終面には上記接合面７に対応する箇所を避けるように接着剤１２が付けられる。このため、図４及び図５に示すように、表紙２の背が外側へと膨らみ、本文３を容易に開くことができ、また、本文３を開いた状態を容易に維持することができる。
【００３０】
なお、本発明は上記実施の形態に限定されるものではなく、本発明の要旨の範囲内において種々変更可能である。例えば、実施の形態では冊子をアルバムとして説明したが、本発明によれば絵本、カタログ等とすることもできる。
【符号の説明】
【００３１】
１…平綴じ冊子
２…表紙
３…本文
４…折丁
５，６…罫線
７…接合面
８…接着剤
【図１】
2011056740.tif 000003
【図２】
2011056740.tif 000004
【図３】
2011056740.tif 000005
【図４】
2011056740.tif 000006
【図５】
2011056740.tif 000007